(57)【特許請求の範囲】
【請求項１】
主筋が建物の基本モジュール上に配置される基礎に於いて、
組立鉄筋又は籠型鉄筋に於ける各あばら筋の設置位置が、建物の基本モジュールに対し１／２ピッチ変位した位置に設定されていることを特徴とする基礎の配筋構造。
【請求項２】
前記組立鉄筋の主筋が、前記建物の基本モジュールの整数倍の長さに設定されていることを特徴とする請求項１に記載の基礎の配筋構造。
【発明の詳細な説明】
【０００１】
【発明の属する技術分野】
本発明は、建物の基礎を構成する際に、基本モジュール上に配置された主筋が直線方向に或いは直交方向に交わる部位に於ける配筋を容易とした配筋構造に関するものである。
【０００２】
【従来の技術】
低層の工業化住宅（プレハブ住宅）の鉄筋コンクリート（ＲＣ）基礎では、予め工場段階で複数の主筋をあばら筋（スターラップ）によって接続して構成した組立鉄筋を用いるのが一般的である。そしてこの組立鉄筋を目的のプレハブ住宅の基本モジュールであって予め設定された基本モジュールに配置し、その後、配置された組立鉄筋の周囲に型枠を設置し、この型枠にコンクリートを打設して構成されている。
【０００３】
上記ＲＣ基礎に用いられる組立鉄筋としては、少なくとも４本の主筋（横筋）を有しこれらの主筋を略長方形のループ状に形成したあばら筋によって接続することで籠型（籠型鉄筋）に構成したものや、複数本の主筋を一列上に配置して直線状のあばら筋によって接続することで格子板状に構成したユニット鉄筋があり、これらの籠型鉄筋やユニット鉄筋を建築すべき住宅に作用する荷重や地盤の条件に応じて選択的に用いて基礎を構成している。
【０００４】
上記組立鉄筋に於いて、主筋の量や、主筋を接続するあばら筋の量は構造計算の結果必要とされた鉄筋量を満足するように設定される。また主筋に対するあばら筋の配置位置は建物に設定された基本モジュールに一致させるのが一般的である。
【０００５】
例えば、特開平07-054353号公報に開示された技術は、スラブ基礎の配筋構造に関するものであり、スターラップ筋（あばら筋）を備えた梁筋ユニットに於けるあばら筋を建物の基本モジュールを基準単位とする寸法位置に合わせて等間隔で配置したものである。そして、このような梁筋ユニットを基礎梁の鉄筋として利用し、スラブ基礎の横筋をあばら筋に合わせて配筋することで、特別な墨出しを行なうことなく配筋し得るようにしたものである。
【０００６】
次に、あばら筋を基本モジュールに一致させるように配置した組立鉄筋を設置する場合の例について図により説明する。図４（ａ），（ｂ），図５は、主筋51ａをあばら筋51ｂによって接続して構成した格子板状のユニット鉄筋51を建物の基本モジュール52上に直列に配列し、或いはＴ字状に接続した例を示すものである。
【０００７】
図に示すように、複数のユニット鉄筋51が交差する交差部位53で夫々のユニット鉄筋51を構成するあばら筋51ｂが互いに接近している。特に、直交二方向に配置されたユニット鉄筋51の交差部位53では、３本のあばら筋51ｂが互いに接近すると共に、主筋51ａに沿って定着筋54が配置されることになる。このため、交差部位53に多数の鉄筋が複雑に組み合わされることになる。
【０００８】
また同図（ｃ）は、一方向に配置されたユニット鉄筋51に対し直交方向から夫々ユニット鉄筋51，51がクロス状に接続された例を示すものである。この場合であっても、各方向のユニット鉄筋51の交差部位53では、各方向に配置されたユニット鉄筋51を構成するあばら筋51ｂが集中することになる。
【０００９】
また図６は主筋（横筋）55ａをループ状のあばら筋55ｂによって接続して籠型に構成した籠型鉄筋55を建物の基本モジュール上に配置すると共にＴ字状に接続した例を示すものである。図に示すように、二方向の籠型鉄筋55が交差する交差部位53では、突き当て側の籠型鉄筋55の端部に設けたあばら筋55ｂが貫通側の籠型鉄筋55に嵌入することになり、両者は互いに干渉するため、このままの状態では接続することが不可能であり、端部の主筋長さを調整すると共に端部に配置されるべきあばら筋55ｂの位置を調整する必要がある。
【００１０】
【発明が解決しようとする課題】
上記の如く、あばら筋を基本モジュールに一致させて構成したユニット鉄筋51や籠型鉄筋55では、交差部位53に於いて各鉄筋51，55のあばら筋が互いに接近することとなり、コンクリートを打設したとき、このコンクリートが狭い部分に充分に充填されなくなる虞が生じる。
【００１１】
このため、交差部位に配置するユニット鉄筋51や籠型鉄筋55では、予め端末を切断したり、或いはあばら筋の位置をずらしておいたり、更に、現場での配筋時にこれらの鉄筋51，55の位置をずらすようなことが必要となる。予め工場段階で合理的に製造されたユニット鉄筋51や籠型鉄筋55を更に前記の如き加工を施したり、配筋時に工夫をこらすようでは、作業性が劣ることとなり、有効な手段ではないという問題がある。
【００１２】
本発明の目的は、配筋したとき、鉄筋の接続部や交差部にあばら筋が集中することがなく、該接続部や交差部に対する余分な加工を必要とすることのない基礎の配筋構造を提供することにある。
【００１３】
【課題を解決するための手段】
上記課題を解決するために本発明に係る基礎の配筋構造は、主筋が建物の基本モジュール上に配置される基礎に於いて、組立鉄筋又は籠型鉄筋に於ける各あばら筋の設置位置が、建物の基本モジュールに対し１／２ピッチ変位した位置に設定されていることを特徴とするものである。
【００１４】
上記基礎の配筋構造に於いて、前記組立鉄筋の主筋が、前記建物の基本モジュールの整数倍の長さに設定されていることが好ましい。
【００１５】
上記基礎の配筋構造では、組立鉄筋又は籠型鉄筋（以下「組立鉄筋」という）のあばら筋が基本モジュールに対し１／２ピッチ変位した位置に設定されるため、組立鉄筋の主筋を建物の基本モジュール上に配置したとき、各あばら筋は基本モジュール上に配置されることなく、基本モジュールから１／２ピッチ変位した部位に配置され、且つ組立鉄筋に於ける主筋の両端部分は、あばら筋が配置されることなく自由端の状態となる。
【００１６】
従って、組立鉄筋を直列に突き合わせて接続する場合、接続部位では主筋の自由端が突き合わされるものの、あばら筋は配置されず、且つ接続部に於けるあばら筋の配置間隔は他の部位の配置間隔と同一となる。また直交する二方向に配置された組立鉄筋を交差させる場合、交差部位には主筋の自由端が集中するがあばら筋は配置されず、且つ交差部に於けるあばら筋の配置間隔は他の部位に於ける配置間隔と同一となる。従って、組立鉄筋の接続部や交差部に於ける強度的な問題が発生することがない。
【００１７】
このため、組立鉄筋の接続部や交差部に於ける主筋を定着筋や継手筋によって接続した場合であっても、これらの定着筋や継手筋は主筋に沿って配置されることとなり、該部位に必要以上に多くの鉄筋が配筋されることがない。このため、組立鉄筋の接続部や交差部では複数の鉄筋が接近して配置されることがなく、コンクリートを打設した場合、打設されたコンクリートは確実に充填される。
【００１８】
【発明の実施の形態】
以下、上記基礎の配筋構造の好ましい実施形態について説明する。本発明に係る配筋構造は、組立鉄筋を構成する主筋を建物の基本モジュール上に配置したとき、該主筋を接続するあばら筋が基本モジュールから１／２ピッチ変位した位置に配置されるようにしたものであり、このように、主筋が基本モジュール上に配置されるにも関わらず、あばら筋が基本モジュールから変位した位置に配置されることによって、組立鉄筋を直列に接続する接続部、或いは直交する二方向に配置した組立鉄筋を交差させる交差部に於けるあばら筋の集中を排除して、配筋作業を容易とし、且つ多数の鉄筋が接近することによるコンクリートの充填不良を排除し得るようにしたものである。
【００１９】
本発明に於いて、建物の基本モジュールとは、目的の建物に設定され、柱や梁を含む躯体を取り付け得る位置をいい、基本モジュールの間隔をモジュール寸法という。この基本モジュールは住宅メーカーや建築業者によって異なるのが一般的であり、木造住宅や鉄骨住宅等を含む全ての住宅に対し、一義的に設定されるものではない。後述する本実施例では、モジュール寸法を３０５mmに設定している。
【００２０】
本発明に於いて、組立鉄筋としては、複数の主筋を同一平面上に一列に配列して直線状のあばら筋によって接続して格子板状に形成したユニット鉄筋、及び複数の主筋を略長方形のループ状に形成したあばら筋の隅部に接続することで籠型に形成した籠型鉄筋が設定されており、これらのユニット鉄筋或いは籠型鉄筋の何れかを選択的に用いることが可能である。
【００２１】
上記組立鉄筋に於ける主筋の数や太さは限定するものではなく、構造計算の結果から得た必要な鉄筋量を満足し得るものであれば良い。また組立鉄筋は予め工場段階で製造されることが好ましい。このように、組立鉄筋を工業生産することによって、該組立鉄筋の部品化をはかることが可能となり、建物のモジュールに対応させた合理的で好ましい組立鉄筋を供給することが可能となる。
【００２２】
本発明に於いて、建物の基本モジュール上に主筋を配置することの意味は、必ずしも主筋が基本モジュールと一致するということではなく、組立鉄筋を所定の位置に配置するに際し、該組立鉄筋に於ける水平方向（幅方向）に配置される主筋が、基本モジュールを基準として幅方向に均等に振り分けられていることをいう。
【００２３】
即ち、組立鉄筋が格子板状のユニット鉄筋である場合、該ユニット鉄筋を構成する複数の主筋は同一平面上に一列に配置され、この主筋の列が縦方向に配置される。このため、ユニット鉄筋を配筋する場合、基本モジュール上に主筋を配置するということは、該主筋が基本モジュールと一致するということになる。
【００２４】
また組立鉄筋が籠型鉄筋である場合、縦方向及び幅方向に夫々複数の主筋が配置されることとなる。このため、籠型鉄筋を配筋する場合、基本モジュール上の主筋を配置するということは、該籠型鉄筋の幅方向に配置された複数の主筋の夫々の位置が基本モジュールを基準として均等に振り分けられているということになる。この場合、主筋は基本モジュールと一致しないが、このような場合であっても、建物の基本モジュール上に主筋を配置するというものである。
【００２５】
従って、組立鉄筋が幅方向に奇数の主筋を有する場合、中央の主筋が基本モジュールと一致するが、組立鉄筋が幅方向に偶数の主筋を有する場合、これらの主筋の位置は基本モジュールから均等に振り分けられ、基本モジュールと一致する主筋は存在しないことになる。本発明では、前記何れの場合であっても、組立鉄筋は主筋が建物の基本モジュール上に配置されたものとしている。
【００２６】
組立鉄筋を構成するあばら筋の基本モジュールに対する変位寸法は特に限定するものではないが、この変位寸法は基本モジュールの１／２であることが好ましい。このように変位したあばら筋は、変位寸法が一定であることから、基本モジュールと等しい間隔で且つ隣接する基本モジュールの中央に配置されることとなる。
【００２７】
このため、組立鉄筋を有する基礎梁を構築した後、該基礎梁に例えば配管用の穴等を追加加工するような場合、外部から容易にあばら筋の位置を確認することが可能である。
【００２８】
次に、上記配筋構造の好ましい実施例について図を用いて説明する。図１はユニット鉄筋を直列に接続する接続部の構造とＴ字状に交差させる交差部の構造を説明する図である。図２はユニット鉄筋を十字状に交差させる交差部の構造を説明する図である。図３は籠型鉄筋をＴ字状に交差させる交差部の構造を説明する図である。
【００２９】
先ず、図１により複数のユニット鉄筋Ａを直列に接続する接続部と、Ｔ字状に交差する交差部の構造について説明する。尚、同図（ａ）は立面図であり、同図（ｂ）は平面図である。
【００３０】
本実施例に係る組立鉄筋は、複数の主筋１を同一平面上に予め設定された間隔を持って一列に配列すると共に、複数の直線状のあばら筋２に対し溶接等の手段で接続された格子板状のユニット鉄筋Ａとして構成されている。このユニット鉄筋Ａは工場段階で製造されており、建物に設定されたモジュールの整数倍に対応する長さを有する標準的な部品として構成されている。
【００３１】
また建物（図示せず）には、予め基本モジュールＭ及びピッチが設定されている。本実施例に於いて、基本モジュールＭのピッチは３０５mmに設定されており、図１（ｂ）及び図２に記載された縦，横方向のグリッドを構成する点線が夫々基本モジュールＭを示し、隣接する基本モジュールＭのピッチが３０５mmに対応している。しかし、基本モジュールＭの全ての線が住宅の平面図に記載されるものではなく、実際には、躯体に対応する位置や、基本モジュールＭのピッチの整数倍の位置に対応する部位が記載される。
【００３２】
上記ユニット鉄筋Ａに於いて、主筋１を接続した隣接するあばら筋２の間隔は基本モジュールのピッチに一致しており、夫々の配置位置は建物に設定された基本モジュールＭから１／２ピッチ変位している。このため、部材上，配筋上左右勝手がなく、ユニット鉄筋Ａの両端部分にはあばら筋２は配置されていない。
【００３３】
従って、図に示すように、ユニット鉄筋Ａを主筋１が基本モジュールＭ上に位置するように配置すると共に、長手方向の両端部を基本モジュールＭに一致するように配置したとき、各あばら筋２は基本モジュールＭから半ピッチ変位した位置に配置される。即ち、基本モジュールＭにはユニット鉄筋Ａの主筋１が配置されるものの、あばら筋２が配置されることはない。
【００３４】
このため、ユニット鉄筋Ａどうしを直列に接続する接続部Ｂや、ユニット鉄筋Ａが直列及び直交方向に交差する交差部Ｃでは、各方向のユニット鉄筋Ａに於ける端部側のあばら筋２が接続部Ｂ，交差部Ｃから１／２モジュール変位した位置に配置されることとなり、これらの接続部Ｂ，交差部Ｃにはあばら筋２が存在することがない。
【００３５】
従って、接続部Ｂでは、直列に接続された夫々のユニット鉄筋Ａの主筋１に直線状の継手筋３を沿わせて結ぶことで、該継手筋３を介して接続することが可能である。このように構成された接続部Ｂでは、従来のように複数のあばら筋２が集中することがない。このため、コンクリートを打設したとき、このコンクリートはユニット鉄筋Ａを構成する各鉄筋１，２及び交差部Ｂに於ける主筋１と継手筋３の周囲に充填されて好ましい基礎梁を構成することが可能である。また直列に接続されたユニット鉄筋Ａでは、あばら筋２はモジュール寸法と等しいピッチで配置されることに変わりはなく強度上の問題が発生することはない。
【００３６】
また複数のユニット鉄筋ＡがＴ字状に交差する交差部Ｃでは、該交差部Ｃを中心として三方向に配置されたユニット鉄筋Ａを構成する主筋１の端部が集中するものの、これらの各端部にはあばら筋２が存在しないことになる。
【００３７】
従って、直交方向に配置されたユニット鉄筋Ａの主筋１にＬ字状に形成された定着筋４を沿わせて結ぶことで、該定着筋４を介してユニット鉄筋Ａを接続することが可能である。このように構成された交差部Ｃでは、複数のあばら筋２が集中することがない。このため、コンクリートを打設したとき、このコンクリートはユニット鉄筋Ａを構成する各鉄筋１，２及び交差部Ｃに於ける主筋１と定着筋４の周囲に充填されて好ましい基礎梁を構成することが可能である。
【００３８】
また各方向に接続されたユニット鉄筋Ａに於いて、あばら筋２がモジュール寸法と等しいピッチで配置されることに変わりはなく強度上の問題が発生することはない。
【００３９】
また接続部Ｂ或いは交差部Ｃに躯体を接続するためのアンカーボルト５を設置する場合、これらのアンカーボルト５の間隔がモジュール寸法と一致する場合を除き、該アンカーボルト５があばら筋２と一致することがない。このため、縦方向に複数のアンカーボルト５を設置してコンクリートを打設した場合であっても、打設されたコンクリートはアンカーボルト５とあばら筋２の間に流動し、充分に充填される。従って、強度上の問題が発生することがない。
【００４０】
次に、複数のユニット鉄筋Ａを十字状に交差させた交差部Ｄの構造について説明する。尚、図に於いて、前述の実施例と同一部分及び同一の機能を有する部分には同一の符号を付して説明を省略する。
【００４１】
交差部Ｄは互いに直交する２本の基本モジュールＭの交点に設定されており、夫々の方向に複数のユニット鉄筋Ａが配置されている。直交する二方向のユニット鉄筋Ａが交差する交差部Ｄに於いて、各方向に夫々１組のユニット鉄筋Ａが配置され、交差部Ｄで４組のユニット鉄筋Ａが集中し得るような場合があるが、本実施例では、一方向（図２に於ける上下方向）に配置されたユニット鉄筋Ａは交差部Ｄを貫通しており、該ユニット鉄筋Ａに対し直交方向（図２に於ける左右方向）に対向して２組のユニット鉄筋Ａが交差している。
【００４２】
各基本モジュールＭに配置されるユニット鉄筋Ａは、これらのユニット鉄筋Ａを構成する主筋１が基本モジュールＭ上に配置され、且つ対向して配置されたユニット鉄筋Ａの主筋１の端部が交差部Ｄに集中している。しかし、交差部Ｄには各方向に配置された３組のユニット鉄筋Ａを構成するあばら筋２は存在しない。
【００４３】
従って、接続部Ｄでは、図に於ける上下方向に配置されたユニット鉄筋Ａに対し、図に於ける左右方向に且つ対向して配置されたユニット鉄筋Ａの主筋１に直線状の継手筋３を沿わせて結ぶことで、該継手筋３を介して接続することが可能である。このように構成された接続部Ｄでは、コンクリートを打設したとき、このコンクリートはユニット鉄筋Ａを構成する主筋１及び継手筋３の周囲に充填されて好ましい基礎梁を構成することが可能である。また十字状に交差して接続されたユニット鉄筋Ａでは、あばら筋２はモジュール寸法と等しいピッチで配置されることに変わりはなく強度上の問題が発生することはない。
【００４４】
また接続部Ｄに躯体を接続するためのアンカーボルト５を設置する場合、これらのアンカーボルト５の間隔がモジュール寸法と一致する場合を除き、該アンカーボルト５があばら筋２と一致することがない。このため、縦方向に複数のアンカーボルト５を設置してコンクリートを打設した場合であっても、打設されたコンクリートはアンカーボルト５とあばら筋２の間に流動して、充分に充填され強度上の問題が発生することがない。
【００４５】
次に、組立鉄筋として、略長方形のループ状に形成したあばら筋７を有し、少なくともあばら筋７の隅部に夫々主筋６を配置し、この状態で主筋６とあばら筋７を溶接等の手段で接続して籠型に構成した籠型鉄筋Ｅをもちいた場合の配筋構造について図３により説明する。尚、本実施例に於いて、前述した実施例と同一部分及び同一の機能を有する部分には同一の符号を付して説明を省略する。
【００４６】
籠型鉄筋Ｅは、ユニット鉄筋Ａと同様に工場段階で製造されており、建物に設定されたモジュールの整数倍に対応する長さを有する標準的な部品として構成されている。
【００４７】
主筋６を基本モジュールＭ上に配置して籠型鉄筋Ｅを設置する場合、該籠型鉄筋Ｅを構成する幅方向に配置された２本の主筋６は、基本モジュールＭからの離隔寸法が該基本モジュールＭを基準として均等に振り分けられる。簡単に言うと、籠型鉄筋Ｅの幅方向に配置された２本の主筋６を結ぶ中心を基本モジュールＭと一致させて籠型鉄筋Ｅが配置される。
【００４８】
籠型鉄筋Ｅに於けるあばら筋７は、ユニット鉄筋Ａのあばら筋２と同様に、隣接するあばら筋７のピッチは基本モジュールＭのピッチと同一であり、設置位置は基本モジュールＭに対し１／２ピッチ変位している。従って、籠型鉄筋Ｅの主筋６を基本モジュールＭ上に配置したとき、籠型鉄筋Ｅどうしを直列に接続する接続部や、直交して交差する交差部Ｆでは、各籠型鉄筋Ｅの主筋６の端部が集中するもののあばら筋７は存在しない。
【００４９】
即ち、図３に示すように、一方向（図３に於ける左右方向）に配置された籠型鉄筋Ｅに対し、直交方向（図３に於ける上下方向）に配置された籠型鉄筋ＥをＴ字状に交差させたとき、交差部Ｆでは、主筋６の端部が集中するもののあばら筋７は存在しない。このため、二方向の主筋６にＬ字状に形成した定着筋（図示せず）を沿わせて結ぶことで互いに接続することが可能である。
【００５０】
上記の如く構成された接続部Ｆでは、コンクリートを打設したとき、このコンクリートは籠型鉄筋Ｅを構成する主筋６及び定着筋の周囲に充分に充填されて付着する。このため、好ましい基礎梁を構成することが可能である。また各籠型鉄筋Ｅでは、あばら筋７はモジュール寸法と等しいピッチで配置されることに変わりはなく強度上の問題が発生することはない。
【００５１】
また接続部Ｆに躯体を接続するためのアンカーボルト５を設置する場合、これらのアンカーボルト５の間隔がモジュール寸法と一致する場合を除き、該アンカーボルト５があばら筋７と一致することがない。このため、縦方向に複数のアンカーボルト５を設置してコンクリートを打設した場合であっても、打設されたコンクリートはアンカーボルト５とあばら筋７の間に流動して、充分に充填され強度上の問題が発生することがない。
【００５２】
【発明の効果】
以上詳細に説明したように本発明に係る基礎の配筋構造では、組立鉄筋のあばら筋が基本モジュールに対し一定寸法変位した位置に設定されるため、組立鉄筋の主筋を建物の基本モジュール上に配置したとき、あばら筋は基本モジュールから一定寸法変位した部位に配置され、且つ組立鉄筋に於ける主筋の両端部分は、あばら筋が配置されることなく自由端の状態となる。
【００５３】
このため、組立鉄筋を直列に突き合わせて接続する場合、或いは直交する二方向に配置された組立鉄筋を交差させて接続する場合、これらの接続部には主筋の自由端が集中するがあばら筋は配置されず、且つ交差部に於けるあばら筋の配置間隔は他の部位に於ける配置間隔と同一となるため、接続部や交差部に於ける強度的な問題が発生することがない。
【００５４】
従って、組立鉄筋の接続部や交差部に於ける納まりを改善することが出来ると共に、コンクリートの充填性を確保することが出来るため、密実な耐久性の高い基礎を得ることが出来る。
【００５５】
また組立鉄筋を構成するあばら筋が基本モジュールに対し一定のピッチで変位して配置されるため、これらの組立鉄筋を配筋した後、フーチングの配筋や基礎スラブの配筋を行なう場合の基準として利用することが出来る。また完成した基礎であっても外部からあばら筋の位置を容易に確認出来るため、穴明け等の追加加工を施す場合に有利である。
【００５６】
特に、組立鉄筋が格子板状のユニット鉄筋である場合、このユニット鉄筋の主筋を基本モジュール上に配置して設置すると、必ず主筋が中心に配置されることとなり、このユニット鉄筋に対し、他のユニット鉄筋を交差させる際の納まりを解消することが出来る。
【図面の簡単な説明】
【図１】  ユニット鉄筋を直列に接続する接続部の構造とＴ字状に交差させる交差部の構造を説明する図である。
【図２】  ユニット鉄筋を十字状に交差させる交差部の構造を説明する図である。
【図３】  籠型鉄筋をＴ字状に交差させる交差部の構造を説明する図である。
【図４】  従来のユニット鉄筋を基本モジュール上に直列に配列して接続する例を示す図である。
【図５】  従来のユニット鉄筋を基本モジュール上に配列してＴ字状に接続した例を示す図である。
【図６】  従来の籠型鉄筋を基本モジュール上に配置すると共にＴ字状に接続した例を示す図である。
【符号の説明】
Ａ                        ユニット鉄筋
Ｂ                        接続部
Ｃ，Ｄ，Ｆ                交差部
Ｅ                        籠型鉄筋
Ｍ                        基本モジュール
１，６                    主筋
２，７                    あばら筋
３                        継手筋
４                        定着筋
５                        アンカーボルト
【図１】
0004744027.tif 000002
【図２】
0004744027.tif 000003
【図３】
0004744027.tif 000004
【図４】
0004744027.tif 000005
【図５】
0004744027.tif 000006
【図６】
0004744027.tif 000007